(57)【要約】【課題】洗浄ノズルの表面全体に水膜を形成することができる局部洗浄装置を提供する。【解決手段】前方下側に向かう斜め方向に進出した状態で人体局部の洗浄を行う第１洗浄ノズル（洗浄ノズル）３と、斜め方向に進出した第１洗浄ノズル３の表面３９に水を供給して水膜を形成する水膜形成部６と、を有し、水膜形成部６は、第１洗浄ノズル３の後端部３ｂ側から前端部３ａ側に向かって、第１洗浄ノズル３の上方から第１洗浄ノズル３に水を供給する。【選択図】図５
2019167796.tif 000002
【特許請求の範囲】
【請求項１】
前方下側に向かう斜め方向に進出した状態で人体局部の洗浄を行う洗浄ノズルと、
前記斜め方向に進出した前記洗浄ノズルの表面に水を供給して水膜を形成する水膜形成部と、を有し、
前記水膜形成部は、前記洗浄ノズルの後端部側から前端部側に向かって、前記洗浄ノズルの上方から前記洗浄ノズルに前記水を供給することを特徴とする局部洗浄装置。
【請求項２】
前記水膜形成部は、前記洗浄ノズルが進出する斜め方向に対して鋭角に交差する方向に前記水を吐出する請求項１に記載の局部洗浄装置。
【請求項３】
前記水膜形成部は、前記洗浄ノズルが局部洗浄を行う際に前記洗浄ノズルに前記水を供給する請求項１または２に記載の局部洗浄装置。
【発明の詳細な説明】
【技術分野】
【０００１】
本発明は、局部洗浄装置に関する。
【背景技術】
【０００２】
従来、便座に着座した使用者の局部を洗浄する局部洗浄装置が知られている。局部洗浄装置の洗浄ノズルは、局部洗浄を行う際に前方へ斜め下側に向かって進出し、局部洗浄が終わると後退するように構成されている。
特許文献１に開示された局部洗浄装置は、前方へ進出した洗浄ノズルの表面に水を供給して水膜を形成し、局部洗浄によって飛散した水や汚物などが洗浄ノズルの表面に付着することを防止することができる。
【先行技術文献】
【特許文献】
【０００３】
【特許文献１】特開平１１−１９３５６７号公報
【発明の概要】
【発明が解決しようとする課題】
【０００４】
特許文献１に開示された局部洗浄装置では、洗浄ノズルに水膜を形成するための水を、洗浄ノズルの後端側において一方の側方から供給している。このため、洗浄ノズルの他方の側方や前端部分に水が行きわたらず、水膜が形成されない虞がある。
これにより、洗浄ノズルの表面の水膜が形成されない部分に、局部洗浄によって飛散した水や汚物などが付着してしまう虞がある。
【０００５】
そこで、本発明は、洗浄ノズルの表面全体に水膜を形成することができる局部洗浄装置を提供することを目的とする。
【課題を解決するための手段】
【０００６】
上記目的を達成するため、本発明に係る局部洗浄装置は、前方下側に向かう斜め方向に進出した状態で人体局部の洗浄を行う洗浄ノズルと、前記斜め方向に進出した前記洗浄ノズルの表面に水を供給して水膜を形成する水膜形成部と、を有し、前記水膜形成部は、前記洗浄ノズルの後端部側から前端部側に向かって、前記洗浄ノズルの上方から前記洗浄ノズルに前記水を供給することを特徴とする。
【０００７】
本発明では、水膜形成部は、洗浄ノズルの後端部側から前端部側に向かって、洗浄ノズルの上方から前記洗浄ノズルに前記水を供給している。これにより、洗浄ノズルの表面に供給された水は、洗浄ノズルの上面に沿って後端部から前端部まで流れるとともに、洗浄ノズルの上面から両側方を伝わって下側に流れるため、洗浄ノズルの表面全体に水を行きわたらせることができ、洗浄ノズルの表面全体に水膜を形成することができる。
水膜とは、所定の厚さの膜状に広がって流れる水を示し、洗浄ノズルの表面に形成される水膜とは、洗浄ノズルの表面を膜状に広がって流れる水を示している。
【０００８】
また、本発明に係る局部洗浄装置では、前記水膜形成部は、前記洗浄ノズルが進出する斜め方向に対して鋭角に交差する方向に前記水を吐出してもよい。
このような構成とすることにより、水膜形成部が吐出した水が、洗浄ノズルの表面で跳ね返ることなく洗浄ノズルの表面に沿って流れやすいため、洗浄ノズルの表面全体に確実に水膜を形成することができる。
【０００９】
また、本発明に係る局部洗浄装置では、前記水膜形成部は、前記洗浄ノズルが局部洗浄を行う際に前記洗浄ノズルに前記水を供給するように構成されていてもよい。
このような構成とすることにより、洗浄ノズルの使用中に洗浄ノズルに汚水や汚物が付着することを防止することができる。
【発明の効果】
【００１０】
本発明によれば、洗浄ノズルの表面全体に水を行きわたらせることができ、洗浄ノズルの表面全体に水膜を形成することができるため、局部洗浄によって飛散した水や汚物などが洗浄ノズルの表面に付着することを防止することができる。
【図面の簡単な説明】
【００１１】
【図１】本発明の第１実施形態による便器の一例を示す斜視図である。
【図２】本発明の第１実施形態による局部洗浄装置の一例を示す斜視図で、第１洗浄ノズルが後退している様子を示す図である。
【図３】本発明の第１実施形態による局部洗浄装置の一例を示す斜視図で、第１洗浄ノズルが進出している様子を示す図である。
【図４】図２のケースを省略した斜視図である。
【図５】図３のケースを省略した斜視図である。
【図６】図２のＡ−Ａ線断面図である。
【図７】図３のＢ−Ｂ線断面図である。
【図８】図２のＣ−Ｃ線断面図である。
【図９】図３のＤ−Ｄ線断面図である。
【図１０】シャッタを前方から見た斜視図である。
【図１１】シャッタを後方から見た斜視図である。
【図１２】（ａ）は第２実施形態による局部洗浄装置の一例を示す斜視図、（ｂ）は第１洗浄ノズルを前端部側から見た図である。
【図１３】（ａ）は第３実施形態による局部洗浄装置の一例を示す斜視図、（ｂ）は第１洗浄ノズルを幅方向から見た図である。
【図１４】第４実施形態による局部洗浄装置の一例を示す斜視図である。
【図１５】第５実施形態による局部洗浄装置の一例を示す斜視図である。
【図１６】（ａ）は第１洗浄ノズルおよび第２洗浄ノズルの変形例を示す斜視図、（ｂ）は第１洗浄ノズルおよび第２洗浄ノズルの他の変形例を示す斜視図である。
【図１７】（ａ）は第１洗浄ノズルおよび第２洗浄ノズルの変形例を示す側面図、（ｂ）は第１洗浄ノズルおよび第２洗浄ノズルの他の変形例を示す側面図である。
【発明を実施するための形態】
【００１２】
（第１実施形態）
以下、本発明の第１実施形態による局部洗浄装置について、図１−図１１に基づいて説明する。
図１に示すように、第１実施形態による局部洗浄装置１は、便器１１に設けられている。便器１１は、便器本体１２と、便器本体１２に取り付けられた機能部１３と、機能部１３を介して便器本体１２に取付けられた便座１４および便蓋１５と、を有している。
便器本体１２は、便鉢１２１が形成され、床面１６に設置されて排水配管（不図示）に接続されるように構成されている。
機能部１３は、局部洗浄を行う局部洗浄装置１と、局部洗浄装置１を収容するケース２と、を有している。機能部１３は、局部洗浄装置１に加えて、温風乾燥を行う温風乾燥装置（不図示）や、脱臭を行う脱臭装置（不図示）、これらの装置に電力を供給する電力供給装置（不図示）などを適宜有していてよい。機能部１３に設けられている装置は、ケース２に収容され、ケース２によって外部に露出しないように覆われている。
【００１３】
機能部１３は、便器１１を使用する使用者側から見て便器本体１２の奥側に取り付けられていて、前側に便器本体１２の便鉢１２１が配置されている。便器本体１２に対して機能部１３が取り付けられている側を後側とし、その反対側を前側とし、前側と後側とを結ぶ方向を前後方向とする。この前後方向に直交する水平方向を幅方向とする。
【００１４】
図２および図３に示すように、局部洗浄装置１は、肛門洗浄用の第１洗浄ノズル３と、ビデ用の第２洗浄ノズル４と、第１洗浄ノズル３および第２洗浄ノズル４を支持する支持部５と、第１洗浄ノズル３および第２洗浄ノズル４に局部洗浄用の温水を供給する局部洗浄用温水供給部（不図示）と、第１洗浄ノズル３の表面３９（図３参照）に水を供給して水膜を形成する水膜形成部６と、局部洗浄および水膜形成部６による水膜の形成を制御する制御部（不図示）と、を有している。
水膜とは、所定の厚さの膜状に広がって流れる水を示し、第１洗浄ノズル３の表面３９に形成される水膜とは、第１洗浄ノズル３の表面３９を膜状に広がって流れる水を示している。
局部洗浄装置１は、機能部１３の幅方向の略中央部に配置されている（図１参照）。
【００１５】
図２−図５に示すように、第１洗浄ノズル３および第２洗浄ノズル４は、それぞれ断面形状が略円形となる丸棒状に形成されている。第１洗浄ノズル３および第２洗浄ノズル４は、それぞれの延びる方向（長さ方向）が前側に向かって漸次下側に向かう斜め方向となるように配置されている。第１洗浄ノズル３および第２洗浄ノズル４は、第１洗浄ノズル３が幅方向の一方側、第２洗浄ノズル４が幅方向の他方側となるように幅方向に並列されている。
上記のように配置された状態における第１洗浄ノズル３および第２洗浄ノズル４の前側かつ下側の端部を前端部３ａ，４ａ（図３−図５参照）とし、後側かつ上側の端部を後端部３ｂ，４ｂする。
【００１６】
図５に示すように、第１洗浄ノズル３には、後端部３ｂ近傍に局部洗浄用の温水が供給される給水口３１が設けられ、前端部３ａ近傍に洗浄水を吐出する洗浄吐水口３２が設けられ、内部に給水口３１と洗浄吐水口３２とをつなぎ温水が流通する流通管３３が設けられている。洗浄吐水口３２は、上方かつ前側に向かう斜め方向に開口し、この斜め方向に向かって洗浄水を吐出可能に構成されている。
第１洗浄ノズル３の前端面３ｃは、第１洗浄ノズル３の長さ方向に直交する平面状に形成されている。
【００１７】
図６および図７に示すように、第１洗浄ノズル３の下側には、第１洗浄ノズル３の長さ方向に延びる直線状の第１ラック（ギア）３４が設けられている。第１ラック３４は下側に突出する歯３４１が第１洗浄ノズル３の長さ方向に複数配列されている。
第１ラック３４は、第１洗浄ノズル３の前端部３ａ近傍には設けられておらず、第１洗浄ノズル３における前端部３ａよりも後側に少し間隔をあけた長さ方向の中間部から後端部３ｂまでの範囲に設けられている。
【００１８】
図５に示すように、第２洗浄ノズル４には、後端部４ｂ近傍に局部洗浄用の温水が供給される給水口４１が設けられ、前端部４ａ近傍に洗浄水を吐出する洗浄吐水口４２が設けられ、内部に給水口４１と洗浄吐水口４２とをつなぎ温水が流通する流通管４３が設けられている。洗浄吐水口４２は、上方かつ前側に向かう斜め方向に開口し、この斜め方向に向かって洗浄水を吐出可能に構成されている。
第２洗浄ノズル４の前端面４ｃは、それぞれ第２洗浄ノズル４の長さ方向に直交する平面状に形成されている。
図８および図９に示すように、第２洗浄ノズル４の下側には、第２洗浄ノズル４の長さ方向に延びる直線状の第２ラック４４（ギア）が設けられている。第２ラック４４は下側に突出する歯４４１が第２洗浄ノズル４の長さ方向に複数配列されている。
第２ラック４４は、第２洗浄ノズル４の前端部４ａ近傍には設けられておらず、第２洗浄ノズル４における前端部４ａよりも後側に少し間隔をあけた長さ方向の中間部から後端部４ｂまでの範囲に設けられている。
【００１９】
図４および図５に示すように、支持部５は、第１洗浄ノズル３および第２洗浄ノズル４それぞれを、前側に向かって漸次下側に向かう斜め方向に進退可能に支持している。第１洗浄ノズル３および第２洗浄ノズル４が進退する方向の洗浄ノズル進退方向とする。この洗浄ノズル進退方向は、第１洗浄ノズル３および第２洗浄ノズル４の長さ方向と同じ方向に設定されている。
支持部５は、第１洗浄ノズル３および第２洗浄ノズル４が出し入れされる支持部本体５１と、第１洗浄ノズル３の第１ラック３４（図６および図７参照）と噛み合い第１ラック３４とともにラックアンドピニオン機構を構成する第１ピニオン５２と、第２洗浄ノズル４の第２ラック４４（図８および図９参照）と噛み合い第２ラック４４とともにラックアンドピニオン機構を構成する第２ピニオン５３と、第１ピニオン５２および第２ピニオン５３を回転させるモータ５４と、を有している。
【００２０】
支持部本体５１は、第１洗浄ノズル３を出し入れ可能な第１洗浄ノズル挿入部５１１と、第２洗浄ノズル４を出し入れ可能な第２洗浄ノズル挿入部５１２と、を有している。第１洗浄ノズル挿入部５１１と第２洗浄ノズル挿入部５１２とは、平行に設けられている。
【００２１】
第１洗浄ノズル挿入部５１１は、洗浄ノズル進退方向に支持部本体５１を貫通するように形成され、洗浄ノズル進退方向の下側かつ前側の開口から第１洗浄ノズル３が進退可能に構成されている。本実施形態では、支持部本体５１には、第１洗浄ノズル挿入部５１１の下側かつ前側の端部近傍の上側の部分に下側かつ前側に開口する切欠き部５１３が形成されている。この切欠き部５１３は、第１洗浄ノズル挿入部５１１に挿入された第１ノズルの上面を上方に露出させている。
【００２２】
第２洗浄ノズル挿入部５１２は、洗浄ノズル進退方向に支持部本体５１を貫通するように形成され、洗浄ノズル進退方向の下側かつ前側の開口から第２洗浄ノズル４が進退可能に構成されている。
【００２３】
図６および図７に示すように、第１ピニオン５２は、円板状に形成され、外周部全体に歯５２１が形成されている。
第１ピニオン５２は、回転軸が幅方向に延びる向きで第１ラック３４の下側に配置され、外周部に形成された歯５２１が第１ラック３４の歯３４１と噛み合うように構成されている。第１ピニオン５２は、モータ５４（図４および図５参照）の駆動によって回転軸回りに回転することによって、第１ラック３４を斜め方向（線状ラックの進退方向）に移動させるように構成されている。
【００２４】
第２ピニオン５３は、円板状に形成され、外周部全体に歯５３１が形成されている。
第２ピニオン５３は、回転軸が幅方向に延びる向きで第２ラック４４の下側に配置され、外周部に形成された歯５３１が第２ラック４４の歯４４１と噛み合うように構成されている。第２ピニオン５３は、モータ５４（図４および図５参照）の駆動によって回転軸回りに回転することによって、第２ラック４４を斜め方向（洗浄ノズルの進退方向）に移動させるように構成されている。
【００２５】
図４−図７に示すように、水膜形成部６は、第１洗浄ノズル３の表面３９（図５参照）に水を供給する水膜形成用給水管６１と、水膜形成用給水管６１に水を供給する水膜形成用水供給部（不図示）と、を有している。
【００２６】
水膜形成用給水管６１は、支持部本体５１の上部に設置されている。水膜形成用給水管６１の水膜吐水口６２は、支持部本体５１に形成された切欠き部５１３の上部に配置されている。水膜形成用給水管６１の水膜吐水口６２は、前側かつ下側に向かって開口し、この方向に水膜形成用の水を吐出するように構成されている。水膜吐水口６２から吐水される水の方向と、第１洗浄ノズル３の進退方向（長さ方向）とは、鋭角を成すように交差している。
【００２７】
水膜形成部６は、第１洗浄ノズル３が進出した状態となると、第１洗浄ノズル３に水膜吐水口６２からを吐水するように制御されている。本実施形態では、水膜形成部６は、第１洗浄ノズル挿入部５１１に収容された状態の第１洗浄ノズル３が第１洗浄ノズル挿入部５１１から進出し始めた状態から、進出したノズルが後退し第１洗浄ノズル挿入部５１１に収容される直前まで、第１洗浄ノズル３の表面３９に水膜吐水口６２から吐水するように制御されている。
【００２８】
水膜吐水口６２から第１洗浄ノズル３に吐水されると、吐水された水が第１洗浄ノズル３の表面３９に沿って前端部３ａに向かって流れるとともに、側面に沿って第１洗浄ノズル３の下側に流れ、第１洗浄ノズル３の表面３９に水膜を形成するように構成されている。
水膜吐水口６２から吐水されて第１洗浄ノズル３の洗浄吐水口３２のまわりに水膜を形成している水の水勢は、第１洗浄ノズル３の洗浄吐水口３２から吐水される洗浄水の水勢よりも弱くなるように設定されている。
水勢とは、吐出する水や流れる水の勢いを示し、吐出する水や流れる水の量や速さによって決定される。
【００２９】
制御部は、使用者が操作する操作部からの信号を受信可能に構成されている。操作部には、肛門洗浄、ビデ洗浄、温風乾燥などの開始・停止や、肛門洗浄、ビデ洗浄、温風乾燥などの強弱などを操作できるボタンなどの操作手段が設けられている。
【００３０】
図２および図３に示すように、機能部１３のケース２のうち、局部洗浄装置１の前側に配置される部分を前板部２１とする。前板部２１は、その板面が洗浄ノズルの進退方向と略同じ方向を向くように配置されている。前板部２１のうちの便鉢１２１（図１参照）の内部を臨む面を前面２１ａとし、その反対側の局部洗浄装置１と対向する面を後面２１ｂとする。
前板部２１の幅方向の略中央部には、洗浄ノズルの進退方向に進退する第１洗浄ノズル３および第２洗浄ノズル４が通過する開口部２１ｃが形成されている。開口部２１ｃは、洗浄ノズルの進退方向と略同じ方向に開口している。開口部２１ｃは、上下方向よりも幅方向に長い形状に形成されている。
【００３１】
ケース２には、回動することで開口部２１ｃを開閉可能なシャッタ２２が設けられている。
シャッタ２２は、開口部２１ｃを前側から開閉するシャッタ本体２３と、ケース２に支持された回動軸部２４と、シャッタ本体２３と回動軸部２４とを連結する一対の連結アーム２５と、を有している。
【００３２】
図２、図３、図１０および図１１に示すように、シャッタ本体２３は、ケース２の開口部２１ｃ（図２参照）よりもやや大きく、開口部２１ｃを閉塞可能な大きさの板状に形成されている。シャッタ本体２３は、開口部２１ｃを閉塞すると、前板部２１と重なり、洗浄ノズルの進退方向と略同じ方向を向くように配置される。
シャッタ本体２３は、開口部２１ｃを閉塞した際に便鉢１２１（図１参照）の内部を向く面を前面２３ａとし、その反対側の開口部２１ｃと対向する面を後面２３ｂとする。シャッタ本体２３の後面２３ｂには、幅方向の他方側で第２洗浄ノズル４と対向する位置に突起部２３１（図３および図１１参照）が形成されている。
【００３３】
回動軸部２４は、軸線が直線となる棒状に形成され、軸線方向が幅方向となる向きに配置されている。回動軸部２４は、前板部２１の後側に配置され、その両端部が前板部２１の後側で開口部２１ｃの上方に設けられた軸支持部２６（図２および図３参照）に支持されている。回動軸部２４は、軸支持部２６に支持されると幅方向に延びる軸線回りに回動可能に構成されている。
【００３４】
一対の連結アーム２５は、それぞれ略Ｃ字形状形成されている。一対の連結アーム２５は、Ｃ字形を形成する一方の端部２５ａが回動軸部２４と接続され、他方の端部２５ｂがシャッタ本体２３の上縁部と接続されている。
一対の連結アーム２５のうちの一方の連結アーム２５は、シャッタ本体２３および回動軸部２４の幅方向の一方側の端部近傍と接続され、他方の連結アーム２５は、シャッタ本体２３および回動軸部２４の幅方向の他方側の端部近傍と接続されている。一対の連結アーム２５は、回動軸部２４を中心とした回動によって、開口部２１ｃの内部に挿通可能な位置に配置されている。
【００３５】
図２に示すように、シャッタ本体２３が開口部２１ｃを閉鎖している状態では、一対の連結アーム２５は、それぞれ前板部２１の後側（ケース２の内部）に配置され、シャッタ本体２３側の端部（他方の端部）２５ｂが回動軸部２４側の端部（一方の端部）２５ａよりも下側かつ後側に配置され、外形のＣ字形が前側かつ下側を向く斜め方向に開口する向きとなっている。
【００３６】
この状態から、回動軸部２４を中心にシャッタ２２が前側に回動すると、図３に示すように、一対の連結アーム２５の回動軸部２４側の端部２５ａよりもシャッタ本体２３側の端部２５ｂが上側かつ前側となり、外形のＣ字形が前側かつ上側を向く斜め方向に開口する向きとなり、シャッタ本体２３が前板部２１から離れて開口部２１ｃを開口した状態となる。
この状態では、一対の連結アーム２５それぞれの内側（外形のＣ字形の内部）に前板部２１における開口部２１ｃの上側の部分が配置されている。シャッタ本体２３は、前面２３ａが前側かつ上側となる斜め方向を向き、後面２３ｂが後側かつ下側となる斜め方向を向いている。
【００３７】
シャッタ２２は、開口部２１ｃを閉鎖している状態となるように付勢されている。このため、シャッタ２２は、開口部２１ｃを開口する方向への外力が作用すると回動して開口部２１ｃを開口し、開口部２１ｃを開口する方向への外力が無くなると、復元されて開口部２１ｃを閉鎖している。
【００３８】
続いて、本実施形態の局部洗浄装置１による局部洗浄を行う際の動作について説明する。
操作部が操作されて、制御部が肛門洗浄開始の信号を受信すると、図９に示すように、第２洗浄ノズル４が洗浄ノズルの進退方向の前側に進出する。第２洗浄ノズル４の前端部４ａがシャッタ２２の突起部２３１と当接し、さらに前側に進出すると、シャッタ２２を回動させて押し上げ、シャッタ２２が開口部２１ｃを開口した状態となる。第２洗浄ノズル４は、シャッタ２２を押し上げて開口部２１ｃを開口する位置となると、さらに前方への進出が停止される。このとき、第２洗浄ノズル４は、前端部４ａが突起部２３１と当接し、シャッタ本体２３の前端部よりも後側に配置されている。
【００３９】
第２洗浄ノズル４の進出と同時または少し遅れて、第１洗浄ノズル３が洗浄ノズルの進退方向の前側に進出する。このとき、シャッタ２２は開口部２１ｃを開口している状態であるため、図７に示すように、第１洗浄ノズル３は、ケース２の開口部２１ｃから進出し、シャッタ２２と当接せずに開口部２１ｃを通過し、シャッタ２２の下側を通って前端部３ａがシャッタ２２よりも前側となる位置に進出する。
第１洗浄ノズル３は、シャッタ本体２３の後面２３ｂの下側に配置され、シャッタ本体２３の後面２３ｂと上下方向に離間している。また、第１洗浄ノズル３は、開口部２１ｃの縁部とも離間している。
第１洗浄ノズル３が最前端まで進出すると、第１洗浄ノズル３の洗浄吐水口３２から局部洗浄用温水が吐水され、肛門洗浄が行われる。
【００４０】
肛門洗浄が開始してから所定の時間が経過する、または制御部が肛門洗浄を停止する信号を受信すると、第１洗浄ノズル３の洗浄吐水口３２からの吐水が終了する。
局部洗浄が終了すると、第１洗浄ノズル３は、洗浄ノズルの進退方向の後側に後退し、支持部５の第１洗浄ノズル挿入部５１１に収容される。第１洗浄ノズル３が第１洗浄ノズル挿入部５１１に収容されると、第２洗浄ノズル４も洗浄ノズルの進退方向の後側に後退し、支持部５の第２洗浄ノズル挿入部５１２に収容される。
上述したように、シャッタ２２は、開口部２１ｃを閉鎖している状態となるように付勢されているため、第２洗浄ノズル４が後退し、シャッタ２２に開口部２１ｃを開口する方向への外力が作用しなくなると、シャッタ２２は開口部２１ｃを閉鎖する方向に回動して開口部２１ｃを閉鎖する。
【００４１】
第１洗浄ノズル３の進出が開始してから、第１洗浄ノズル３が後退して支持部５の第１洗浄ノズル挿入部５１１に収容されるまでの間、図５に示すように、水膜形成部６が駆動し、水膜吐水口６２から第１洗浄ノズル３に上方から水膜を形成するための水を吐水する。
水膜吐水口６２から吐出された水は、第１洗浄ノズル３の前端部３ａに向かって流れるとともに、第１洗浄ノズル３の周面を通って下側に流れ、第１洗浄ノズル３の表面３９に水膜を形成する。第１洗浄ノズル３が最前端に進出している状態では、水膜吐水口６２から吐出された水は、第１洗浄ノズル３の後端部３ｂ近傍の上側に供給される。
【００４２】
なお、上述したように水膜吐水口６２から吐水されて第１洗浄ノズル３の洗浄吐水口３２のまわりに水膜を形成している水の水勢は、第１洗浄ノズル３の洗浄吐水口３２から吐水される洗浄水の水勢よりも弱くなるように設定されているため、第１洗浄ノズル３から洗浄水が吐水されている際に、第１洗浄ノズル３から吐水された洗浄水に水膜を形成する水が混ざることを防止することができる。
【００４３】
操作部が操作されて、制御部がビデ洗浄開始の信号を受信すると、図９に示すように、第２洗浄ノズル４が洗浄ノズルの進退方向の前側に進出する。第２洗浄ノズル４がシャッタ２２の突起部２３１と当接し、さらに前側に進出すると、シャッタ２２を押し上げてシャッタ２２が開口部２１ｃを開口した状態となる。第２洗浄ノズル４は、さらに前方への進出し、最前端（図９の二点鎖線の位置）まで進出すると、第２洗浄ノズル４の洗浄吐水口４２から局部洗浄用温水が吐水され、ビデ洗浄が行われる。
【００４４】
ビデ洗浄が開始してから所定の時間が経過する、または制御部がビデ洗浄を停止する信号を受信すると、第２洗浄ノズル４の洗浄吐水口４２からの吐水が終了する。
ビデ洗浄が終了すると、第２洗浄ノズル４は、洗浄ノズルの進退方向の後側に後退し、支持部５の第２洗浄ノズル挿入部５１２に収容される。上述したように、シャッタ２２は、開口部２１ｃを閉鎖している状態となるように付勢されているため、第２洗浄ノズル４が後退し、シャッタ２２に開口部２１ｃを開口する方向への外力が作用しなくなると、シャッタ２２は開口部２１ｃを閉鎖する方向に回動して開口部２１ｃを閉鎖する。
本実施形態では、第２洗浄ノズル４に対しては水膜形成部６から吐水して水膜を形成するようには構成されていない。
【００４５】
次に、上述した第１実施形態による局部洗浄装置１の作用・効果について図面を用いて説明する。
上述した第１実施形態による局部洗浄装置１では、水膜形成部６は、第１洗浄ノズル３の後端部３ｂ側から前端部３ａ側に向かって、上方から第１洗浄ノズル３に吐水している。これにより、第１洗浄ノズル３の表面３９に供給された水は、第１洗浄ノズル３の上面に沿って後端部３ｂから前端部３ａまで流れるとともに、第１洗浄ノズル３の上面から両側方を伝わって下側に流れるため、第１洗浄ノズル３の表面３９全体に水を行きわたらせることができ、第１洗浄ノズル３の表面３９全体に水膜を形成することができる。
その結果、局部洗浄によって飛散した水や汚物などが第１洗浄ノズル３の表面３９に付着することを防止することができる。
【００４６】
また、水膜形成部６は、第１洗浄ノズル３の進退方向に対して鋭角に交差する方向に水を吐出することにより、水膜形成部６が吐出した水が、第１洗浄ノズル３の表面３９で跳ね返ることなく第１洗浄ノズル３の表面３９に沿って流れやすいため、第１洗浄ノズル３の表面３９全体に確実に水膜を形成することができる。
【００４７】
（第２実施形態）
次に、他の実施形態について、添付図面に基づいて説明するが、上述の第１実施形態と同一又は同様な部材、部分には同一の符号を用いて説明を省略し、第１実施形態と異なる構成について説明する。
図１２に示すように、第２実施形態による局部洗浄装置１Ｂは、第１洗浄ノズル３Ｂの形状が第１実施形態と異なっている。第１洗浄ノズル３Ｂは、上面３ｄおよび下面３ｅが平坦面となり、両側面３ｆが曲面に形成されている。なお、第２洗浄ノズル４Ｂも第１洗浄ノズル３Ｂと同じ形状に形成されている。
第２実施形態による局部洗浄装置１Ｂでは、第１洗浄ノズル３Ｂに突出された水膜形成用の水が第１洗浄ノズル３Ｂの上面に沿って前端部３ａまで流れるとともに、両側面に沿って下方に流れるため、第１洗浄ノズル３Ｂの表面３９Ｂ全体に水膜を形成することができる。
【００４８】
（第３実施形態）
図１３に示すように、第３実施形態による局部洗浄装置１Ｃは、第１洗浄ノズル３Ｃの形状が第２実施形態による局部洗浄装置１Ｂの第１洗浄ノズル３Ｂのように上面３ｄおよび下面３ｅが平坦面となり、両側面３ｆが曲面に形成されている。第３実施形態では、第１洗浄ノズル３Ｃの前端面３ｇが、中央部が前側かつ下側に向かって突出する曲面に形成されている。なお、第２洗浄ノズル４Ｃも第１洗浄ノズル３Ｃと同じ形状に形成されている。
第３実施形態による局部洗浄装置１Ｃでは、第１洗浄ノズル３Ｃの表面３９Ｃを通って前端部３ａに到達した水膜形成水が、第１洗浄ノズル３の前端面３ｇの曲面に沿って下側まで回り込むことができるため、第１洗浄ノズル３の前端面３ｇ全体に水膜を形成することができる。
【００４９】
（第４実施形態）
図１４に示すように、第４実施形態による局部洗浄装置１Ｄは、第１洗浄ノズル３Ｄの形状が第１実施形態による局部洗浄装置１の第１洗浄ノズル３のように断面形状が円形となる丸棒状に形成されている。第４実施形態では、第１洗浄ノズル３Ｄの洗浄吐水口３２Ｄの上側に第１洗浄ノズル３の表面３９Ｄから突出する円弧板状の突出壁３５Ｄが形成されている。突出壁３５Ｄの上端部は、形成される水膜の上面よりも上側に突出するように設定されている。
突出壁３５Ｄは、水膜を形成する水が洗浄吐水口３２Ｄを通過しないように設けられている。
第４実施形態による局部洗浄装置１では、水膜を形成する水が第１洗浄ノズル３の洗浄吐水口３２Ｄに入り込むことがないため、水膜形成用の水が局部洗浄用の水と混ざって、局部洗浄に使用されることを確実に防止することができる。
【００５０】
（第５実施形態）
図１５に示すように、第５実施形態による局部洗浄装置１Ｅは、第１洗浄ノズル３Ｅの形状が第１実施形態による局部洗浄装置１の第１洗浄ノズル３のように断面形状が円形となる丸棒状に形成されている。第４実施形態では、第１洗浄ノズル３Ｅの洗浄吐水口３２Ｅが第１洗浄ノズル３の表面３９Ｅから上側に突出する筒状に形成されている。筒状の洗浄吐水口３２Ｅの上端部は、形成される水膜の上面よりも上側に突出するように設定されている。
第５実施形態による局部洗浄装置１では、水膜を形成する水が第１洗浄ノズル３の洗浄吐水口３２Ｅに入り込むことがないため、水膜形成用の水が局部洗浄用の水と混ざって、局部洗浄に使用されることを確実に防止することができる。
【００５１】
以上、本発明による局部洗浄装置１の実施形態について説明したが、本発明は上記の実施形態に限定されるものではなく、その趣旨を逸脱しない範囲で適宜変更可能である。
例えば、上記の実施形態では、水膜形成部６は、第１洗浄ノズル３に水膜を形成するように構成されているが、第１洗浄ノズル３に加えて第２洗浄ノズル４に水膜を形成するように構成されていてもよいし、第１洗浄ノズル３に代わって第２洗浄ノズル４に水膜を形成するように構成されていてもよい。
【００５２】
また、上記の実施形態では、シャッタ本体２３の後面に突起部２３１が形成され、第２洗浄ノズル４が突起部２３１と当接してシャッタ２２を押し上げることで開口部２１ｃを開口するように構成されているが、シャッタ本体２３には突起部２３１が形成されておらず、第２洗浄ノズル４に設けられた突起部２３１がシャッタ本体２３と当接してシャッタ本体２３を押し上げて開口部２１ｃを開口するように構成されていてもよい。
また、シャッタ本体２３を押し上げるためのリンク機構が設けられていて、第２洗浄ノズル４の進退によってリンク機構が作動し、シャッタ２２を回動させるように構成されていてもよい。
【００５３】
また、上記の実施形態では、第２洗浄ノズル４の進退によってシャッタ２２を開閉するように構成されているが、第１洗浄ノズル３の進退によってシャッタ２２を開閉するように構成されていてもよい。
例えば、シャッタ本体２３の後側の面における第１洗浄ノズル３と対向する位置に突起部が設けられていて、進退する第１洗浄ノズル３がこの突起部を押し上げたり、突起部と離間したりすることでシャッタ２２を開閉するように構成されていてもよい。また、第１洗浄ノズル３に表面３９から突出する突起部が設けられていて、進退する第１洗浄ノズル３の突起部がシャッタ本体２３を押し上げたりシャッタ本体２３と離間したりすることでシャッタ２２を開閉するように構成されていてもよい。
【００５４】
このような場合も、第１洗浄ノズル３の表面３９は、シャッタ本体２３と当接することがなく、第１洗浄ノズル３の表面３９に形成された水膜にシャッタ本体２３が干渉することがない。
また、局部洗浄装置１には、シャッタ２２を開閉するモータなどが設けられていて、第１洗浄ノズル３や第２洗浄ノズル４の進退によらずモータの駆動によってシャッタ２２を開閉するように構成されていてもよい。
【００５５】
また、上記の実施形態では、第１洗浄ノズル３および第２洗浄ノズル４の進退機構は、第１洗浄ノズル３および第２洗浄ノズル４の下側に設けられた線状のラック３４，４４とそれぞれのラック３４，４４の下側に設けられたピニオン５２，５３で構成されている。これに対し、第１洗浄ノズル３および第２洗浄ノズル４の進退機構は、第１洗浄ノズル３および第２洗浄ノズル４に接続されたベルト状のラックがそれぞれピニオンに巻き取り巻き出しされることで第１洗浄ノズル３および第２洗浄ノズル４を進退させるように構成されていてもよい。
【００５６】
また、上記の実施形態では、水膜形成部６は、洗浄ノズルが進出する斜め方向に対して鋭角に交差する方向に水を吐出する様に構成されているが、水膜吐水口６２が水膜を形成するための水を吐水する方向が適宜設定されてよい。
また、上記の実施形態では、支持部本体５１に切欠き部５１３が形成され、水膜吐水口６２は支持部本体５１に形成された切欠き部５１３の上部に配置されているが、第１洗浄ノズル３の上面に水膜を形成するための水を吐水可能であれば、支持部本体５１に切欠き部５１３が形成されていなくてもよく、切欠き部５１３から水膜を形成するための水を吐水しなくてもよい。
【００５７】
また、上記の実施形態では、第１洗浄ノズル３は、長さ方向全体にわたって略同じ断面形状に形成されている。これに対し、図１６（ａ）に示す第１洗浄ノズル３Ｆのように、前端部分３６Ｆ以外は断面形状が円形となるように形成され、前端部分３６Ｆの上面３６１Ｆのみが平坦面に形成されていてもよい。また、図１６（ｂ）に示す第１洗浄ノズル３Ｇのように、前端部分３６Ｇは、断面形状が円形となるように形成され、前端部分３６Ｇ以外の上面３６１Ｇおよび下面３６２Ｇが平坦面となり、両側面３６３Ｇが曲面に形成されていてもよい。
【００５８】
また、上記の実施形態では、第１洗浄ノズル３の前端面３ｃ，３ｇは、第１洗浄ノズル３の軸線に直交する平面状や、中央部分が前側に突出する曲面状に形成されているが、図１７（ａ）に示す第１洗浄ノズル３Ｈのように、前端面３ｈが前側に向かって漸次下側に向かうように傾斜した曲面状に形成されていてもよい。また、図１７（ｂ）に示す第１洗浄ノズル３Ｉのように、前端面３ｉが前側に向かって漸次下側に向かうように傾斜した平面状に形成されていてもよい。
【符号の説明】
【００５９】
１，１Ｂ〜１Ｅ  局部洗浄装置
３，３Ｂ〜３Ｅ  第１洗浄ノズル（洗浄ノズル）
３ａ  前端部
３ｂ  後端部
６  水膜形成部
１１  便器
３９，３９Ｂ〜３９Ｅ  表面
【図１】
2019167796.tif 000003
【図２】
2019167796.tif 000004
【図３】
2019167796.tif 000005
【図４】
2019167796.tif 000006
【図５】
2019167796.tif 000007
【図６】
2019167796.tif 000008
【図７】
2019167796.tif 000009
【図８】
2019167796.tif 000010
【図９】
2019167796.tif 000011
【図１０】
2019167796.tif 000012
【図１１】
2019167796.tif 000013
【図１２】
2019167796.tif 000014
【図１３】
2019167796.tif 000015
【図１４】
2019167796.tif 000016
【図１５】
2019167796.tif 000017
【図１６】
2019167796.tif 000018
【図１７】
2019167796.tif 000019